(57)【要約】【課題】照明光の色調を調整できる照明装置及びプロジェクターを提供すること。【解決手段】照明装置は、第１波長にピーク波長を有する第１色光を出射する第１光源部と、第１波長とは異なる第２波長にピーク波長を有する第２色光を出射する第２光源部と、第１色光及び第２色光のそれぞれの一部の光を、第１色光及び第２色光とは波長が異なる第３色光に変換し、第１色光及び第２色光のそれぞれの他の光と第３色光とを出射する波長変換素子と、第１光源部から出射される第１色光の単位時間当たりの光量、及び、第２光源部から出射される第２色光の単位時間当たりの光量を個別に調整する制御部と、を備える。【選択図】図３
2018031864.tif 000002
【特許請求の範囲】
【請求項１】
第１波長にピーク波長を有する第１色光を出射する第１光源部と、
前記第１波長とは異なる第２波長にピーク波長を有する第２色光を出射する第２光源部と、
前記第１色光及び前記第２色光のそれぞれの一部の光を、前記第１色光及び前記第２色光とは波長が異なる第３色光に変換し、前記第１色光及び前記第２色光のそれぞれの他の光と前記第３色光とを出射する波長変換素子と、
前記第１光源部から出射される前記第１色光の単位時間当たりの光量、及び、前記第２光源部から出射される前記第２色光の単位時間当たりの光量を個別に調整する制御部と、を備えることを特徴とする照明装置。
【請求項２】
請求項１に記載の照明装置において、
前記波長変換素子は、入射される前記第１色光から前記第３色光を出射する出射効率と、入射される前記第２色光から前記第３色光を出射する出射効率とが異なる特性を有することを特徴とする照明装置。
【請求項３】
請求項１又は請求項２に記載の照明装置において、
前記波長変換素子に対して前記第３色光の出射側に位置して、前記第３色光を透過し、前記第１色光及び前記第２色光のそれぞれの一部を反射させる反射部を有し、
前記反射部は、前記第１色光の透過率と、前記第２色光の透過率とが異なる特性を有することを特徴とする照明装置。
【請求項４】
請求項１から請求項３のいずれか一項に記載の照明装置において、
前記波長変換素子における前記第１色光による照明範囲及び前記第２色光による照明範囲は、略一致することを特徴とする照明装置。
【請求項５】
請求項１から請求項４のいずれか一項に記載の照明装置と、
前記照明装置から出射された光を変調する光変調装置と、
前記光変調装置によって変調された光を投射する投射光学装置と、を備えることを特徴とするプロジェクター。
【発明の詳細な説明】
【技術分野】
【０００１】
本発明は、照明装置及びプロジェクターに関する。
【背景技術】
【０００２】
従来、照明装置から出射された光を変調して画像情報に応じた画像を形成し、当該画像をスクリーン等の被投射面上に拡大投射するプロジェクターが知られている。このようなプロジェクターとして、固体光源及び蛍光発光板を有する光源装置を備えたプロジェクターが知られている（例えば、特許文献１参照）。
【０００３】
この特許文献１に記載のプロジェクターでは、光源装置は、上記固体光源を有する固体光源ユニット、２つの位相差板、ダイクロイックミラー、蛍光発光板及び反射板を備える。これらのうち、固体光源ユニットは、青色光である励起光を出射し、一方の位相差板は、当該励起光の偏光方向を変換して生じた第１偏光成分及び第２偏光成分をダイクロイックミラーに入射させる。ダイクロイックミラーは、第１偏光成分及び第２偏光成分を偏光分離する。蛍光発光板は、第１偏光成分の励起光によって緑及び赤の各成分を含む蛍光を発する。他方の位相差板は、第２偏光成分の励起光を円偏光の励起光に変換し、反射板は、位相差板を透過した励起光を反射させて、位相差板に再度入射させる。
そして、上記ダイクロイックミラーは、上記蛍光を偏光方向に依らずに透過させる。このため、上記蛍光発光板にて生じた蛍光は、ダイクロイックミラーを透過し、上記反射板にて反射されて上記他方の位相差板を透過した励起光は、ダイクロイックミラーによって蛍光の進行方向と同方向に反射される。これにより、光源装置から、青色光である励起光と、緑色光及び赤色光を含む蛍光とにより構成される白色の照明光が出射される。
【先行技術文献】
【特許文献】
【０００４】
【特許文献１】特開２０１２−１３７７４４号公報
【発明の概要】
【発明が解決しようとする課題】
【０００５】
ところで、上記特許文献１に記載の光源装置において、青色光として利用される励起光をダイクロイックミラーにて分離して、蛍光発光板にて生じた蛍光と合成する構成では、当該励起光を反射させる反射板と位相差板とが必要になる。このような光源装置は、小型化しづらいという問題がある。
これに対し、ダイクロイックミラーを用いずに、固体光源ユニットから出射された励起光の略全てを蛍光発光板に入射させ、一部の励起光を蛍光に変換し、変換されなかった励起光を青色光として利用する構成が考えられる。
しかしながら、このような構成では、光源装置から出射される照明光の色調を調整しづらいという問題がある。
【０００６】
本発明は、上記課題の少なくとも一部を解決することを目的としたものであり、照明光の色調を調整できる照明装置及びプロジェクターを提供することを目的の１つとする。
【課題を解決するための手段】
【０００７】
本発明の第１態様に係る照明装置は、第１波長にピーク波長を有する第１色光を出射する第１光源部と、前記第１波長とは異なる第２波長にピーク波長を有する第２色光を出射する第２光源部と、前記第１色光及び前記第２色光のそれぞれの一部の光を、前記第１色光及び前記第２色光とは波長が異なる第３色光に変換し、前記第１色光及び前記第２色光のそれぞれの他の光と前記第３色光とを出射する波長変換素子と、前記第１光源部から出射される前記第１色光の単位時間当たりの光量、及び、前記第２光源部から出射される前記第２色光の単位時間当たりの光量を個別に調整する制御部と、を備えることを特徴とする。
【０００８】
上記第１態様によれば、上記制御部は、第１光源部から出射される第１色光の単位時間当たりの発光光量と、第２光源部から出射される第２色光の単位時間当たりの発光光量とを調整する。これによれば、波長変換素子、ひいては、照明装置から出射される照明光における第１色光及び第２色光の光量バランスを調整できる。これら第１色光及び第２色光は、それぞれのピーク波長が異なるので、当該光量バランスを調整することにより、上記照明光の色調を調整できる。
【０００９】
上記第１態様では、前記波長変換素子は、入射される前記第１色光から前記第３色光を出射する出射効率と、入射される前記第２色光から前記第３色光を出射する出射効率とが異なる特性を有することが好ましい。
なお、このような出射効率は、例えば波長変換素子が有する蛍光体に対する光の吸収率と、吸収された光の第３色光への変換効率との積によって求められる。
このような構成によれば、第１色光及び第２色光の光量バランスの調整による照明光の色調調整に加えて、例えば第１色光と第２色光とが同じ色として認識される色光である場合に、波長変換素子にそれぞれ入射される第１色光及び第２色光のうち、一方の色光の光量の割合を増減させることにより、波長変換素子からそれぞれ出射される第１色光及び第２色光の合計光量の割合に対する第３色光の光量の割合を増減させることができる。従って、照明装置から出射される照明光における第１色光及び第２色光と第３色光との光量バランスを調整でき、当該照明光の色調を調整できる。
【００１０】
上記第１態様では、前記波長変換素子に対して前記第３色光の出射側に位置して、前記第３色光を透過し、前記第１色光及び前記第２色光のそれぞれの一部を反射させる反射部を有し、前記反射部は、前記第１色光の透過率と、前記第２色光の透過率とが異なる特性を有することが好ましい。
なお、反射部は、波長変換素子に位置していてもよく、当該波長変換素子とは別体として構成されていてもよい。
このような構成によれば、第１色光及び第２色光の光量バランスの調整による照明光の色調調整に加えて、例えば第１色光と第２色光とが同じ色として認識される色光である場合に、反射部にそれぞれ入射される第１色光及び第２色光のうち、一方の色光の光量の割合を増減させることにより、反射部を介して照明装置から出射される第１色光及び第２色光の合計光量を増減させることができる。そして、これにより、当該照明装置から出射される照明光における第１色光及び第２色光の合計光量の割合と、第３色光の光量の割合とを調整できる。従って、当該照明光における第１色光及び第２色光と第３色光との光量バランスを調整でき、当該照明光の色調を調整できる。
【００１１】
上記第１態様では、前記波長変換素子における前記第１色光による照明範囲及び前記第２色光による照明範囲は、略一致することが好ましい。
このような構成によれば、波長変換素子、ひいては、照明装置から出射される照明光における第１色光及び第２色光の光量分布、ひいては、第１色光、第２色光及び第３色光の光量分布を均一化できる。従って、当該照明光に色むらが発生することを抑制できる。
【００１２】
本発明の第２態様に係るプロジェクターは、上記照明装置と、前記照明装置から出射された光を変調する光変調装置と、前記光変調装置によって変調された光を投射する投射光学装置と、を備えることを特徴とする。
上記第２態様によれば、上記第１態様に係る照明装置と同様の効果を奏することができる。この他、色調が調整された照明光に基づく画像を投射できるので、用途に応じた色調の画像を投射でき、プロジェクターの利便性を向上させることができる。また、照明装置から出射される照明光の色調を調整できることにより、光学部品の劣化による色ずれの補正や、ユーザー等によって設定されたカラーモードに応じた色合いの調整も実施できる。このような色調の調整は、光変調素子による色調の調整のような、光を減じることによる色調の調整だけではない。このことから、画像を形成する光の利用効率を高めることができ、色再現性がよく輝度が高い画像を投射できる。
【図面の簡単な説明】
【００１３】
【図１】本発明の第１実施形態に係るプロジェクターの構成を示す模式図。
【図２】上記第１実施形態における照明装置の構成を示す模式図。
【図３】上記第１実施形態における第１光源部及び第２光源部の配置を示す模式図。
【図４】上記第１実施形態における波長変換層に含まれる蛍光体の光吸収特性を示す図。
【図５】上記第１実施形態における他の照明装置を示す模式図。
【図６】本発明の第２実施形態に係るプロジェクターの波長変換装置を示す模式図。
【図７】上記第２実施形態における反射層に入射される光の波長と透過率との関係を示す図。
【図８】上記各実施形態における波長変換装置の変形の断面を模式的に示す図。
【発明を実施するための形態】
【００１４】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、図１に示すように、内部に設けられた照明装置３１から出射された光束を変調して画像情報に応じた画像を形成し、当該画像をスクリーン等の被投射面ＰＳ上に拡大投射する画像表示装置である。
このプロジェクター１では、詳しくは後述するが、照明装置３１は、それぞれ出射される励起光のピーク波長が異なる２種類の固体光源Ｓ１，Ｓ２（図２参照）を有する。そして、当該プロジェクター１は、固体光源Ｓ１から出射される励起光である第１励起光の単位時間当たりの光量と、固体光源Ｓ２から出射される励起光である第２励起光の単位時間当たりの光量とを調整することによって、照明装置３１から出射される照明光の色調を調整し、ひいては、投射画像の色調を調整することを特徴の１つとしている。
【００１５】
このようなプロジェクター１は、外装を構成する外装筐体２と、当該外装筐体２内にそれぞれ収容される画像投射装置３及び制御装置６と、を備える。この他、図示を省略するが、プロジェクター１は、冷却対象を冷却する冷却装置、及び、当該プロジェクター１を構成する電子部品に電力を供給する電源装置を備える。
これらのうち、制御装置６は、プロジェクター１の動作を制御する。例えば、制御装置６は、入力される画像情報を処理して、当該画像情報に応じた駆動信号を画像投射装置３に出力する。また、制御装置６は、後述する点灯装置４１４を制御して、光源装置４、ひいては、照明装置３１を点灯させる。
【００１６】
［画像投射装置の構成］
画像投射装置３は、上記制御装置６による制御の下、上記画像情報に応じた画像を形成及び投射する。この画像投射装置３は、設定された照明光軸上にそれぞれ配置された照明装置３１、色分離装置３２、平行化レンズ３３、光変調装置３４、色合成装置３５及び投射光学装置３６を備える。
これらのうち、照明装置３１は、白色光である照明光ＷＬを色分離装置３２に向けて出射する。この照明装置３１の構成については、後に詳述する。
【００１７】
色分離装置３２は、照明装置３１から入射される照明光ＷＬを青色光ＬＢ、緑色光ＬＧ及び赤色光ＬＲに分離する。この色分離装置３２は、ダイクロイックミラー３２１，３２２、全反射ミラー３２３，３２４，３２５及びリレーレンズ３２６，３２７と、これらを内部に収容する光学部品用筐体３２８と、を備える。
ダイクロイックミラー３２１は、入射された照明光のうち、青色光ＬＢを透過させ、他の色光（緑色光ＬＧ及び赤色光ＬＲ）を反射させる。
ダイクロイックミラー３２２は、ダイクロイックミラー３２１を介して入射される上記他の色光のうち、赤色光ＬＲを透過させ、緑色光ＬＧを反射させる。
【００１８】
全反射ミラー３２３は、青色光ＬＢの光路上に配置され、ダイクロイックミラー３２１を透過した青色光ＬＢを光変調装置３４（３４Ｂ）に向けて反射させる。
全反射ミラー３２４，３２５は、赤色光ＬＲの光路中に配置され、ダイクロイックミラー３２２を透過した赤色光ＬＲを光変調装置３４（３４Ｒ）に導く。なお、緑色光ＬＧは、ダイクロイックミラー３２２にて、光変調装置３４（３４Ｇ）に向けて反射される。
リレーレンズ３２６，３２７は、分離された赤色光ＬＲの光路上に配置されている。これらリレーレンズ３２６，３２７は、赤色光ＬＲの光路長が青色光ＬＢや緑色光ＬＧの光路長よりも長くなることによる赤色光ＬＲの光損失を補償する機能を有する。
【００１９】
平行化レンズ３３（赤、緑及び青用の平行化レンズをそれぞれ３３Ｒ，３３Ｇ，３３Ｂとする）は、光変調装置３４に対して光入射側に配置され、当該光変調装置３４に入射される光を平行化する。
光変調装置３４（赤、緑及び青用の光変調装置をそれぞれ３４Ｒ，３４Ｇ，３４Ｂとする）は、それぞれ入射される色光を変調して、上記画像情報に応じた色画像を形成する。これら光変調装置３４のそれぞれは、本実施形態では、入射される光を変調する液晶パネルと、当該液晶パネルに対する光入射側及び光出射側に位置する入射側偏光板及び出射側偏光板とを備えて構成されている。
【００２０】
色合成装置３５は、各光変調装置３４Ｒ，３４Ｇ，３４Ｂから入射される変調光（各色光ＬＢ，ＬＧ，ＬＲに応じた色画像）が入射される。この色合成装置３５は、各変調光を合成して投射画像の画像光を形成し、当該画像光を投射光学装置３６に出射する。このような色合成装置３５は、本実施形態ではクロスダイクロイックプリズムにより構成されているが、複数のダイクロイックミラーを組み合わせて構成することも可能である。
投射光学装置３６は、色合成装置３５にて合成された画像光を上記被投射面ＰＳに投射して、当該被投射面ＰＳ上に投射画像を表示する。このような投射光学装置３６として、複数のレンズと、当該複数のレンズを収容する鏡筒とを有する組レンズを採用できる。
【００２１】
［照明装置の構成］
図２は、照明装置３１の構成を示す模式図である。
照明装置３１は、図２に示すように、光源装置４及び均一化装置５を備える。
光源装置４は、均一化装置５に上記照明光を出射する。この光源装置４は、光源部４１、アフォーカル光学装置４２、ホモジナイザー光学装置４３、第１ピックアップ光学装置４４、波長変換装置４５及び第２ピックアップ光学装置４６を備える。そして、これらは、直線状に延びる上記照明光軸である照明光軸Ａｘ上に配置される。
【００２２】
光源部４１は、アレイ光源４１１、コリメーター光学装置（図示省略）及び点灯装置４１４（図３参照）を有する。
アレイ光源４１１は、上記照明光軸Ａｘに対する直交面内に複数の固体光源Ｓ１，Ｓ２がアレイ状に配列された構成を有し、アフォーカル光学装置４２に向けて青色光である励起光を出射する。このアレイ光源４１１は、それぞれ出射される励起光のピーク波長が異なる第１光源部４１２及び第２光源部４１３を有する。
第１光源部４１２は、本実施形態では、それぞれ４６０ｎｍ（第１波長）にピーク波長を有する第１励起光を出射するＬＤ（Laser Diode）である複数の固体光源Ｓ１を含んで構成されている。この第１励起光は、第１色光に相当する。
第２光源部４１３は、本実施形態では、それぞれ４４０ｎｍ（第２波長）にピーク波長を有するレーザー光である第２励起光を出射するＬＤである複数の固体光源Ｓ２を含んで構成されている。この第２励起光は、第２色光に相当する。
【００２３】
図３は、アレイ光源４１１における第１光源部４１２及び第２光源部４１３の配置を示す模式図である。なお、図３では、一部の固体光源Ｓ１，Ｓ２にのみ符号を付す。
上記アレイ光源４１１では、固体光源Ｓ１，Ｓ２は、図３に示すように、マトリクス状に配列されている。具体的に、図３の例では、１０行１０列のマトリクス状に固体光源Ｓ１，Ｓ２が配列されているが、固体光源Ｓ１は、奇数行に沿って配列され、固体光源Ｓ２は、偶数行に沿って配列されている。これら固体光源Ｓ１は、点灯装置４１４を構成する第１点灯部４１５によって点灯され、固体光源Ｓ２は、同じく点灯装置４１４を構成する第２点灯部４１６によって点灯される。
【００２４】
このように固体光源Ｓ１，Ｓ２が配列されることによって、アレイ光源４１１から出射される励起光において、第１励起光の分布と第２励起光の分布とに偏りが生じることを抑制できる。
なお、上記図３の例では、固体光源Ｓ１，Ｓ２は、１０行１０列のマトリクス状に配列されるとしたが、これに限らず、行数及び列数は適宜変更してよい。また、固体光源Ｓ１は、偶数行に沿って配列され、固体光源Ｓ２は、奇数行に沿って配列されてもよく、固体光源Ｓ１，Ｓ２の一方は奇数列に沿って配列され、他方は偶数列に沿って配列されてもよい。更に、固体光源Ｓ１，Ｓ２は、行方向及び列方向のそれぞれに交互に配列されてもよく、ランダムに配列されていてもよい。
【００２５】
コリメーター光学装置は、図示を省略するが、アレイ光源４１１から入射される励起光を平行化して、アフォーカル光学装置４２に入射させる。このコリメーター光学装置は、各固体光源Ｓ１，Ｓ２に対応する複数のコリメーターレンズがアレイ状に配置された構成を例示できる。
点灯装置４１４は、上記制御装置６による制御の下、各固体光源Ｓ１，Ｓ２の点灯状態を制御する。このような点灯装置４１４の構成及び機能については、後に詳述する。
【００２６】
アフォーカル光学装置４２は、図２に示すように、光源部４１から入射される励起光の光束径を調整する。このアフォーカル光学装置４２は、集光レンズ４２１及び平行化レンズ４２２を備える。
ホモジナイザー光学装置４３は、第１ピックアップ光学装置４４とともに、光源部４１からアフォーカル光学装置４２を介して入射される励起光による被照明領域（波長変換装置４５の波長変換層４５３）の照度分布を均一化する。このホモジナイザー光学装置４３は、照明光軸Ａｘに対する直交面にそれぞれ複数の小レンズがマトリクス状に配列されたマルチレンズ４３１，４３２を備える。
第１ピックアップ光学装置４４は、ホモジナイザー光学装置４３から入射される励起光を集光して、波長変換装置４５（波長変換層４５３）に入射させる。この第１ピックアップ光学装置４４は、本実施形態では、２つのピックアップレンズ４４１，４４２を備えて構成される。しかしながら、これに限らず、第１ピックアップ光学装置４４を構成するレンズの数は、適宜変更可能である。
【００２７】
波長変換装置４５は、第１ピックアップ光学装置４４から入射される励起光（第１励起光及び第２励起光）の一部を緑色光及び赤色光を含む蛍光（５００〜７００ｎｍの波長域にピーク波長を有する第３色光）に変換して出射するとともに、他の一部を透過させて出射する。この波長変換装置４５は、波長変換素子４５１と、当該波長変換素子４５１を回転させるモーター等の回転装置４５９と、を備える。
波長変換素子４５１は、基板４５２と、当該基板４５２における光出射側の面に位置する波長変換層４５３とを有する。なお、波長変換層４５３は、基板４５２に対する励起光の入射側の面に位置していてもよい。
これらのうち、基板４５２は、ガラス等の透光性材料により円盤状に形成されている。この基板４５２及び回転装置４５９は、当該基板４５２の回転軸Ｒｘが上記照明光軸Ａｘに沿うように配置される。そして、回転装置４５９によって基板４５２が回転されることによって、当該基板４５２、ひいては、当該基板４５２に位置する波長変換層４５３が冷却される。
【００２８】
波長変換層４５３は、入射される励起光のうち、一部の励起光を上記蛍光に変換して出射するとともに、他の励起光を透過させて出射する。すなわち、波長変換層４５３は、緑色光及び赤色光を含む蛍光と、青色光である励起光とを出射する。この波長変換層４５３は、基板４５２上に上記回転軸Ｒｘを中心とする環状に形成されている。
このような波長変換層４５３は、励起光を蛍光に波長変換する蛍光体を含んで構成されている。この蛍光体は、波長によって励起光の吸収率が異なる。
【００２９】
図４は、波長変換層４５３に含まれる蛍光体の光吸収特性を示す図（グラフ）である。なお、図４では、蛍光体に最も効率よく吸収される波長を最大吸収波長とし、当該最大吸収波長の光の吸収率を１とする相対吸収率として各波長の光の吸収率を示している。
図４に示す例では、波長変換層４５３に含まれる蛍光体は、波長４６０ｎｍの光の吸収率と、波長４４０ｎｍの光の吸収率とが異なる。具体的に、当該蛍光体の相対吸収率は、４６０ｎｍでは略１であるのに対し、４４０ｎｍでは略０．８である。
【００３０】
このように、波長変換層４５３に含まれる蛍光体は、ピーク波長が４６０ｎｍである第１励起光の吸収率と、ピーク波長が４４０ｎｍである第２励起光の吸収率とが異なる。このことから、波長変換層４５３、ひいては、波長変換素子４５１は、ある光量の第１励起光が入射された際に当該第１励起光から出射される蛍光の出射効率と、同光量の第２励起光が入射された際に当該第２励起光から出射される蛍光の出射効率とが異なる特性を有する。具体的には、波長変換層４５３では、第１励起光の吸収率が第２励起光の吸収率より高いので、第１励起光からの蛍光の出射効率は、第２励起光からの蛍光の出射効率より高い。
【００３１】
このため、波長変換素子４５１にそれぞれ入射される第１励起光及び第２励起光のうち、一方の励起光の光量の割合を増減させることによって、当該波長変換素子４５１からそれぞれ出射される第１励起光及び第２励起光の合計光量の割合に対する蛍光の光量の割合を増減される。例えば、蛍光への出射効率が高い第１励起光の光量の割合を、第２励起光の光量の割合より高めることによって、これらの割合が同じである場合に比べて、当該波長変換素子４５１から出射される光において蛍光の光量が占める割合を高め、第１励起光及び第２励起光の合計光量の割合を下げられる。このように、第１励起光及び第２励起光のそれぞれの光量（単位時間当たりの発光光量）が調整されることにより、波長変換装置４５（波長変換素子４５１）から出射される照明光における第１励起光及び第２励起光と蛍光との光量バランスが調整される。
なお、第１励起光と第２励起光とは、ピーク波長が異なることにより、これら第１励起光及び第２励起光の光源部４１からの出射光量をそれぞれ調整することにより、波長変換層４５３から出射される照明光における青色光領域の色調も調整される。例えば、第１励起光の光量と第２励起光の光量とが同じであれば、波長変換素子４５１（蛍光体）の第１励起光の吸収率が第２励起光の吸収率より高いことから、照明光における第１励起光の割合が第２励起光の割合に比べて低くなる。
このような光量調整、ひいては、照明光の色調調整は、光源部４１の点灯装置４１４（制御部４１７）により実行され、波長変換層４５３から、青色光の光量と緑色光及び赤色光の光量との割合が調整された照明光が、第２ピックアップ光学装置４６に出射される。
【００３２】
第２ピックアップ光学装置４６は、図２に示すように、上記波長変換層４５３からそれぞれ出射された照明光を集光して、均一化装置５に入射させる機能を有する。この第２ピックアップ光学装置４６は、集光レンズ４６１と、当該集光レンズ４６１により集光された光を平行化する平行化レンズ４６２と、を有する。なお、このような第２ピックアップ光学装置４６を構成するレンズの数は、２つに限らず、適宜変更可能である。
【００３３】
均一化装置５は、光源装置４（第２ピックアップ光学装置４６）から入射される照明光の中心軸（照明光軸Ａｘと一致）に対する直交面内における照度を均一化し、ひいては、上記光変調装置３４（３４Ｒ，３４Ｇ，３４Ｂ）における被照明領域である画像形成領域（変調領域）の照度分布を均一化する。この均一化装置５は、第１レンズアレイ５１、第２レンズアレイ５２、偏光変換素子５３及び重畳レンズ５４を備え、これらも、それぞれの光軸が照明光軸Ａｘと一致するように配置される。
【００３４】
第１レンズアレイ５１は、複数の小レンズ５１１が照明光軸Ａｘに対する直交面内にマトリクス状に配列された構成を有し、当該複数の小レンズ５１１により、入射される照明光を複数の部分光束に分割する。
第２レンズアレイ５２は、第１レンズアレイ５１と同様に、複数の小レンズ５２１が上記直交面内にマトリクス状に配列された構成を有し、各小レンズ５２１は、対応する小レンズ５１１と１対１の関係にある。すなわち、或る小レンズ５２１には、対応する小レンズ５１１から出射された部分光束が入射される。これら小レンズ５２１は、各小レンズ５１１により分割された複数の部分光束を、重畳レンズ５４とともに各光変調装置３４の上記画像形成領域に重畳させる。
偏光変換素子５３は、第２レンズアレイ５２と重畳レンズ５４との間に配置され、入射される複数の部分光束の偏光方向を揃える機能を有する。
【００３５】
［点灯装置の構成］
点灯装置４１４は、図３に示すように、第１点灯部４１５、第２点灯部４１６及び制御部４１７を有し、各固体光源Ｓ１，Ｓ２の点灯状態を制御する。
第１点灯部４１５は、上記第１光源部４１２を構成する各固体光源Ｓ１を点灯させる。同様に、第２点灯部４１６は、上記第２光源部４１３を構成する各固体光源Ｓ２を点灯させる。この際、第１点灯部４１５及び第２点灯部４１６は、単位時間当たりの発光時間と消灯時間とのデューティ比、或いは、各固体光源Ｓ１，Ｓ２に印加する電圧によって、各固体光源Ｓ１，Ｓ２の単位時間当たり発光光量、ひいては、第１光源部４１２及び第２光源部４１３からの単位時間当たりの出射光量を調整する。
【００３６】
制御部４１７は、第１点灯部４１５及び第２点灯部４１６を制御して、第１光源部４１２及び第２光源部４１３からの第１励起光及び第２励起光のそれぞれの単位時間当たりの出射光量を調整し、これにより、上記のように、照明光の色調、ひいては、投射画像の色調を調整する。
なお、本実施形態では、制御部４１７は、プロジェクター１に対するユーザーの入力操作に応じて制御装置６から入力される制御信号に応じた色調に、照明光の色調を調整する。しかしながら、これに限らず、光源装置４又は照明装置３１から出射された照明光の波長分布を検出するセンサーが設けられている場合には、予め設定された波長分布となるように、制御部４１７が自動的に当該照明光の色調を調整してもよい。更に、制御部４１７は、ユーザー等によって設定されたカラーモードに応じて、当該照明光の色調を調整してもよい。
【００３７】
以上説明した本実施形態に係るプロジェクター１によれば、以下の効果がある。
波長変換素子４５１は、第１励起光の吸収率と、第２励起光の吸収率とが異なる蛍光体を含んでいる。すなわち、波長変換素子４５１は、第１励起光からの蛍光の出射効率と、第２励起光からの蛍光の出射効率とが異なる特性を有する。
これによれば、上記のように、制御部４１７が、波長変換素子４５１に入射される第１励起光及び第２励起光のそれぞれの単位時間当たりの光量を調整することにより、波長変換素子４５１、ひいては、照明装置３１から出射される照明光における青色光成分と緑色光成分及び赤色光成分との光量バランス（光量の割合）を調整できる他、当該青色光成分における第１励起光と第２励起光との光量バランス（光量の割合）も調整できる。従って、照明装置３１から出射される照明光の色調、ひいては、投射画像の色調を調整できる。
そして、このように照明光の色調を調整できることにより、光学部品の劣化による色ずれの補正や、ユーザー等によって設定されたカラーモードに応じた色合いの調整も実施できる。従って、液晶パネル等の光変調素子によって行われる色調の調整のような、光を減じる（カットする）ことによる色調の調整に代えて、或いは、加えて、上記照明光の色調調整を行うことにより、画像を形成する光の利用効率を高めることができ、色再現性がよく輝度が高い画像を投射できる。
【００３８】
第１光源部４１２を構成する固体光源Ｓ１、及び、第２光源部４１３を構成する固体光源Ｓ２は、アレイ光源４１１から出射される励起光において、第１励起光の光量分布と第２励起光の光量分布とに偏りが生じないように配列されている。すなわち、波長変換素子４５１の波長変換層４５３において、第１励起光による照明範囲と、第２励起光による照明範囲とは、略一致する。これによれば、波長変換素子４５１、ひいては、照明装置３１（光源装置４）から出射される照明光における第１励起光及び第２励起光の光量分布、ひいては、青色光、緑色及び赤色光の光量分布を均一化できる。従って、当該照明光、ひいては、投射画像に色むらが発生することを抑制できる。
【００３９】
［第１実施形態の変形］
上記プロジェクター１では、波長変換装置４５は、励起光の入射方向に沿って当該励起光の一部が変換された蛍光と、当該励起光の他の一部を出射する透過型の波長変換素子４５１を有する構成であった。しかしながら、これに限らず、反射型の波長変換素子を有する波長変換装置が用いられてもよい。
【００４０】
図５は、照明装置３１の変形である照明装置３１Ａの構成を示す模式図である。
例えば、上記照明装置３１に代えて、図５に示す反射型の波長変換装置４５Ａを有する照明装置３１Ａをプロジェクター１に採用してもよい。なお、以下の説明では、既に説明した部分と同一又は略同一である部分については、同一の符号を付して説明を省略する。
この照明装置３１Ａは、第１照明光軸Ａｘ１上に配置される光源装置４Ａと、当該第１照明光軸Ａｘ１に直交する第２照明光軸Ａｘ２上に配置される上記均一化装置５と、を備える。
【００４１】
光源装置４Ａは、光源部４１Ａ、アフォーカル光学装置４２、ホモジナイザー光学装置４３、偏光分離装置４７、位相差板４８、ピックアップ光学装置４９及び波長変換装置４５Ａを備える。
これらのうち、光源部４１Ａは、上記光源部４１と同様にアレイ光源４１１、コリメーター光学装置（図示省略）及び点灯装置４１４（図５では図示省略）を有する。また、アレイ光源４１１は、複数の固体光源Ｓ１を含む第１光源部４１２と、複数の固体光源Ｓ２を含む第２光源部４１３と、を有する。
このような光源部４１Ａでは、各固体光源Ｓ１，Ｓ２は、ｓ偏光及びｐ偏光のうち、それぞれ一方の第１励起光及び第２励起光を出射するように構成されている。具体的に、各固体光源Ｓ１，Ｓ２は、それぞれｐ偏光の第１励起光及び第２励起光を出射するように構成されている。しかしながら、これに限らず、ｓ偏光の第１励起光及び第２励起光を各固体光源Ｓ１，Ｓ２が出射するように構成してもよい。
【００４２】
偏光分離装置４７は、第１照明光軸Ａｘ１及び第２照明光軸Ａｘ２の交差部に位置し、これら照明光軸Ａｘ１，Ａｘ２に対して４５°の角度で傾斜している。この偏光分離装置４７は、入射される光のうち、青色光領域の波長の光に含まれるｐ偏光成分及びｓ偏光成分のうち、一方の偏光成分を通過させ、他方の偏光成分を反射させる機能を有する他、緑色光領域及び赤色光領域の波長の光を、偏光状態に依らずに反射させる機能を有する。すなわち、偏光分離装置４７は、波長選択性の偏光分離特性を有する。
【００４３】
具体的に、偏光分離装置４７は、アフォーカル光学装置４２及びホモジナイザー光学装置４３を介して光源部４１Ａから入射されるｐ偏光の励起光（第１励起光及び第２励起光）を透過させる。また、偏光分離装置４７は、後述する位相差板４８を二度通過して偏光変換されたｓ偏光の励起光を、上記均一化装置５の第１レンズアレイ５１に向けて反射させる。更に、偏光分離装置４７は、波長変換装置４５Ａにて生成されて入射される蛍光を、上記均一化装置５の第１レンズアレイ５１に向けて反射させる。
なお、偏光分離装置４７は、プレート型の偏光分離装置として構成されているが、これに限らず、プリズム型の偏光分離装置としてもよい。また、光源部４１Ａがｓ偏光の励起光を出射する場合には、偏光分離装置４７は、ｓ偏光の励起光を透過させ、ｐ偏光の励起光を反射させる構成とすればよい。
【００４４】
位相差板４８は、１／４波長板である。この位相差板４８は、偏光分離装置４７から入射されるｐ偏光の励起光を、円偏光の励起光に変換する。
ピックアップ光学装置４９は、位相差板４８から入射される励起光を集光して、波長変換装置４５Ａに入射させる。このピックアップ光学装置４９は、上記第１ピックアップ光学装置４４と同様に、２つのピックアップレンズ４９１，４９２を備えて構成される。しかしながら、これに限らず、ピックアップ光学装置４９を構成するレンズの数は、適宜変更可能である。
【００４５】
波長変換装置４５Ａは、上記波長変換装置４５と同様に、ピックアップ光学装置４９から入射される励起光の一部を蛍光に変換して出射するとともに、他の一部を出射する。
ここで、当該波長変換装置４５は、励起光の入射面と蛍光の出射面とが互いに反対側の面となる透過型の波長変換装置であった。これに対し、波長変換装置４５Ａは、励起光の入射面と蛍光の出射面とは同一の面となる反射型の波長変換装置である。
このような波長変換装置４５Ａは、波長変換素子４５１Ａと、当該波長変換素子４５１Ａを回転させる回転装置４５９と、を有する。
【００４６】
波長変換素子４５１Ａは、波長変換素子４５１と同様に、基板４５２及び波長変換層４５３を有する他、基板４５２と波長変換層４５３との間に位置する反射層４５４を有する。この反射層４５４は、波長変換層４５３を通過して入射される励起光、及び、当該波長変換層４５３から入射される上記蛍光を、当該波長変換層４５３側に反射させる。これにより、波長変換素子４５１Ａは、波長変換層４５３にて生成された蛍光と、蛍光に変換されなかった励起光とを含む照明光を、波長変換素子４５１Ａに対する励起光の入射方向とは反対方向、すなわち、ピックアップ光学装置４９に向けて出射する。
【００４７】
この照明光は、ピックアップ光学装置４９を介して、位相差板４８に入射される。この照明光に含まれる励起光は、波長変換素子４５１Ａにて反射される時に、当該波長変換素子４５１Ａに入射された円偏光とは逆回りの円偏光となって、位相差板４８を再度通過する。この際、当該逆回りの円偏光となった励起光は、ｐ偏光に対して偏光方向が９０°回転されたｓ偏光の励起光に変換される。このため、当該ｓ偏光の励起光は、上記偏光分離装置４７にて反射されて第２照明光軸Ａｘ２に沿って進行し、均一化装置５の第１レンズアレイ５１に青色光として入射される。
【００４８】
一方、波長変換素子４５１Ａから出射された蛍光は非偏光光であり、偏光分離装置４７が上記波長選択性の偏光分離特性を有する。このことから、ピックアップ光学装置４９及び位相差板４８を通過した蛍光は、偏光分離装置４７にて反射されて第２照明光軸Ａｘ２に沿って進行し、均一化装置５の第１レンズアレイ５１に緑色光及び赤色光として入射される。
これにより、白色の照明光が、均一化装置５を介して照明装置３１Ａから出射され、上記色分離装置３２（図１参照）に入射される。
このような照明装置３１Ａが照明装置３１に代えて上記プロジェクター１に採用された場合でも、上記と同様の効果を奏することができる。
【００４９】
［第２実施形態］
次に、本発明の第２実施形態について説明する。
本実施形態に係るプロジェクターは、上記プロジェクター１と同様の構成を有するが、本実施形態に係るプロジェクターが備える波長変換装置は、波長によって入射される光の透過率が異なる反射層を更に有する。この点で、本実施形態に係るプロジェクターと、上記プロジェクター１とは相違する。なお、以下の説明では、既に説明した部分と同一又は略同一である部分については、同一の符号を付して説明を省略する。
【００５０】
図６は、本実施形態に係るプロジェクターが備える波長変換装置４５Ｂを示す模式図である。
本実施形態に係るプロジェクターは、波長変換装置４５に代えて波長変換装置４５Ｂを備える他は、上記プロジェクター１と同様の構成及び機能を有する。また、波長変換装置４５Ｂは、図６に示すように、波長変換素子４５１に代えて波長変換素子４５１Ｂを有する他は、上記波長変換装置４５と同様の構成及び機能を有する。
この波長変換素子４５１Ｂは、基板４５２及び波長変換層４５３に加えて、当該波長変換層４５３の光出射側に反射層４５５を更に有する。
【００５１】
図７は、反射層４５５に入射される光の波長と透過率との関係を示す図（グラフ）である。
反射層４５５は、本発明の反射部に相当し、入射される光の波長に応じて当該光の透過率（反射率）が異なる反射層である。
具体的に、反射層４５５の透過率は、図７に示すように、４４０ｎｍ近傍にピークを有し、略４５０ｎｍから急激に減少した後、略４９０ｎｍから急激に増大して、５００ｎｍ以上で略１００％となる特性を有する。例えば、４４０ｎｍの波長の光に対する反射層４５５の透過率は、略３０％であり、４６０ｎｍの波長の光に対する反射層４５５の透過率は、略５％であり、５００ｎｍ以上の波長の光に対する反射層４５５の透過率は、略１００％である。
【００５２】
このような反射層４５５に、波長４６０ｎｍの上記第１励起光が入射された場合には、当該第１励起光の略５％が透過され、残りの略９５％が反射される。
一方、反射層４５５に、波長４４０ｎｍの上記第２励起光が入射された場合には、当該第２励起光の略３０％が透過され、残りの略７０％が反射される。
他方、反射層４５５に、波長５００〜７００ｎｍの上記蛍光が入射された場合には、当該蛍光の略１００％が透過される。
【００５３】
このように、反射層４５５が上記透過特性を有することから、上記制御部４１７が、第１点灯部４１５及び第２点灯部４１６によって第１光源部４１２及び第２光源部４１３の点灯状態を制御して、第１励起光及び第２励起光のそれぞれの単位時間当たりの発光光量を調整することにより、反射層４５５から出射される照明光における励起光成分（青色光成分）と蛍光成分（緑色光成分及び赤色光成分）との光量バランス（光量の割合）を調整できる。この他、青色光成分における第１励起光と第２励起光との光量バランス（光量の割合）も調整できる。従って、照明装置３１から出射される照明光の色調、ひいては、投射画像の色調を調整できる。
この際、波長変換層４５３は上記蛍光体を含むので、第１励起光及び第２励起光のそれぞれの光量が調整されることにより、当該照明光における励起光成分（青色光成分）と蛍光成分（緑色光成分及び赤色光成分）との割合を、より詳細に調整できる。従って、照明光の色調の調整範囲、ひいては、投射画像の色調の調整範囲をより拡大できる。
そして、このように照明光の色調を調整できることにより、上記のように、光学部品の劣化による色ずれの補正や、カラーモードに応じた色合いの調整も実施できる。従って、光を減じる（カットする）ことによる上記色調調整に代えて、或いは、加えて、照明光の色調調整を実施できることにより、画像を形成する光の利用効率を高めることができ、色再現性がよく輝度が高い画像を投射できる。
【００５４】
なお、本実施形態に係るプロジェクターは、波長変換装置４５のように、励起光の入射方向に沿って当該励起光の一部と蛍光とを出射する、透過型の波長変換装置４５Ｂを採用した。しかしながら、これに限らず、上記波長変換装置４５Ａのような反射型の波長変換装置として、波長変換装置４５Ｂを構成してもよい。この場合、波長変換層４５３に対する励起光の入射側（反射層４５４とは反対側）に上記反射層４５５を配置すればよい。しかしながら、この場合、当該反射層４５５が上記図７に示した透過特性を有する場合には、波長変換装置に第１励起光が入射される際に、当該第１励起光の略全てが反射層４５５にて反射されてしまい、出射される照明光における励起光成分（青色光成分）が高くなりやすくなる。このため、このような場合には、第１励起光に応じた波長の光の透過率が図７に示した透過特性における透過率より高い反射層４５５を用いることが考えられる。
また、このように、上記図７に示した反射層４５５の透過特性は一例であり、当該反射層４５５に採用される透過特性は、適宜変更可能である。例えば、第１励起光に応じた波長の光の透過率が、第２励起光に応じた波長の光の透過率より高くてもよい。
【００５５】
以上説明した本実施形態に係るプロジェクターによれば、上記プロジェクター１と同様の効果を奏することができる他、以下の効果を奏することができる。
波長変換装置４５Ｂは、波長変換素子４５１Ｂ（波長変換層４５３）に対して蛍光の出射側に位置する反射層４５５を有する。この反射層４５５は、蛍光を透過し、第１励起光及び第２励起光のそれぞれの一部を反射させる特性を有し、当該反射層４５５では、第１励起光の透過率（反射率）と、第２色光の透過率（反射率）とは異なる。そして、上記制御部４１７は、波長変換素子４５１Ｂに入射される第１励起光及び第２励起光のそれぞれの単位時間当たりの光量を調整する。これによれば、上記のように、波長変換素子４５１Ｂ、ひいては、照明装置３１（光源装置４）から出射される照明光における青色光成分と緑色光成分及び赤色光成分との光量バランスを調整できる他、当該青色光成分における第１励起光と第２励起光との光量バランスも調整できる。従って、照明装置３１から出射される照明光の色調を確実に調整できる。更に、上記のように、色再現性がよく輝度が高い画像を投射できる。
【００５６】
［各実施形態の変形］
本発明は、上記各実施形態に限定されるものではなく、本発明の目的を達成できる範囲での変形、改良等は本発明に含まれるものである。
上記第１実施形態では、波長変換装置４５（波長変換素子４５１）は、入射される励起光の波長に応じて吸収率が異なり、当該励起光の波長に応じて蛍光の出射効率が異なる蛍光体を含む波長変換層４５３を有するとした。また、上記第２実施形態では、波長変換装置４５Ｂ（波長変換素子４５１Ｂ）は、入射される光の波長に応じて透過率が異なる透過特性を有する反射層４５５を有するとした。しかしながら、これに限らず、入射される励起光の波長に対して蛍光への変換効率が略一定である波長変換層を用いてもよく、上記反射層４５５は無くてもよい。すなわち、波長変換素子に入射される第１励起光の単位時間当たりの光量、及び、第２励起光の単位時間当たりの光量を調整できればよい。
このような構成であれば、波長変換素子４５１、ひいては、照明装置３１（光源装置４）から出射される照明光における第１励起光と第２励起光との光量バランスを調整できる。そして、これら第１励起光及び第２励起光はピーク波長（４６０ｎｍ及び４４０ｎｍ）が異なるので、当該光量バランスを調整することにより、照明装置（光源装置）から出射される照明光の色調を調整できる。また、これにより、プロジェクターは、色調が調整された照明光に基づく画像を投射できるので、用途に応じた色調の画像を投射でき、プロジェクターの利便性を向上させることができる。
【００５７】
また、上記第２実施形態では、入射される励起光の波長に応じて蛍光の出射効率が異なる波長変換層４５３、及び、入射される光の波長に応じて透過率が異なる反射層４５５のそれぞれを有する波長変換素子４５１Ｂ（波長変換装置４５Ｂ）をプロジェクターに適用した。しかしながら、これに限らず、波長変換素子が反射層４５５を有する場合には、波長変換層４５３に代えて、入射される励起光の波長に対して蛍光の出射効率が略一定である波長変換層を採用してもよい。この場合でも、当該反射層４５５を有することによる上記効果を奏することができる。
【００５８】
上記各実施形態では、波長変換装置４５，４５Ｂは、透過型の波長変換素子４５１，４５１Ｂを有し、波長変換装置４５Ａは、反射層４５４を有する反射型の波長変換素子４５１Ａを有するとした。そして、これら波長変換素子４５１，４５１Ａ，４５１Ｂは、回転装置４５９によって当該波長変換素子４５１，４５１Ａ，４５１Ｂの中心軸と同軸の回転軸Ｒｘを中心として回転されるとした。しかしながら、これに限らず、波長変換装置４５，４５Ａ，４５Ｂは、回転装置４５９を備えず、これら波長変換素子４５１，４５１Ａ，４５１Ｂは、回転されなくてもよい。
【００５９】
図８は、波長変換装置４５Ｃの断面を模式的に示す図である。
例えば、波長変換装置４５に代えて、図８に示す波長変換装置４５Ｃを、照明装置３１やプロジェクター１に採用してもよい。この波長変換装置４５Ｃは、波長変換素子４５１Ｃを備え、当該波長変換素子４５１Ｃは、基板４５６、波長変換層４５３及びレンズ４５７を有する。
【００６０】
これらのうち、基板４５６は、中央に開口部４５６１を有し、当該開口部４５６１内には、上記波長変換層４５３が配置されている。このような基板４５６は、金属やセラミックにより形成できる。
レンズ４５７は、波長変換層４５３に対して励起光の入射側に位置し、上記第１ピックアップ光学装置４４から入射される励起光を集光して、波長変換層４５３に入射させる。なお、このようなレンズ４５７は無くてもよい。
このような波長変換装置４５Ｃを波長変換装置４５に代えてプロジェクター１に採用した場合でも、当該プロジェクター１と同様の効果を奏することができる。
なお、上記反射層４５４を波長変換層４５３に対する励起光の入射側（レンズ４５７の配置側）とは反対側に設けることにより、反射型の波長変換装置を構成できる。また、波長変換層４５３に対する励起光の入射側（波長変換層４５３とレンズ４５７との間、又は、レンズ４５７に対する励起光の入射側）に上記反射層４５５が設けられた波長変換装置を構成し、当該波長変換装置を波長変換装置４５Ｂに代えて採用してもよい。この場合、上記第２実施形態にて示したプロジェクターと同様の効果を奏することができる。
【００６１】
上記各実施形態では、蛍光体への第１励起光及び第２励起光の吸収率が異なることによって、波長変換素子４５１，４５１Ａにおける第１励起光からの蛍光の出射効率、及び、第２励起光からの蛍光の出射効率を異ならせる構成であった。しかしながら、これに限らず、蛍光体の組成を変える等して、第１励起光の蛍光への変換効率、及び、第２励起光の蛍光への変換効率を異ならせることによって、上記各出射効率を異ならせる構成としてもよい。すなわち、第１励起光からの蛍光の出射効率、及び、第２励起光からの蛍光の出射効率が異なっていればよい。
【００６２】
上記各実施形態では、第１光源部４１２を構成する固体光源Ｓ１と、第２光源部４１３を構成する固体光源Ｓ２とは、同数設けられるとした。しかしながら、これに限らず、固体光源Ｓ１の数と固体光源Ｓ２の数とは、異なっていてもよい。また、固体光源Ｓ１，Ｓ２から出射されるピーク波長は、異なっていればよく、４６０ｎｍ及び４４０ｎｍに限定されない。更に、第１光源部を構成する固体光源（例えば固体光源Ｓ１）、及び、第２光源部を構成する固体光源（例えば固体光源Ｓ２）の並びも、上記に限定されず、適宜変更してよい。
【００６３】
上記各実施形態では、第１光源部４１２及び第２光源部４１３を構成する固体光源Ｓ１，Ｓ２としてＬＤを採用した。しかしながら、これに限らず、第１光源部４１２及び第２光源部４１３の少なくとも一方を、ＬＥＤ（Light Emitting Diode）等の他の固体光源を有する構成としてもよく、ＬＤ及びＬＥＤが混在した構成としてもよい。
また、上記各実施形態では、光源部４１は、４６０ｎｍにピーク波長を有する第１励起光を出射する第１光源部４１２と、４４０ｎｍにピーク波長を有する第２励起光を出射する第２光源部４１３と、を有する構成とした。しかしながら、これに限らず、光源部４１は、それぞれ出射される光（励起光）の波長が異なる３つ以上の光源部を有する構成としてもよい。この場合、第１点灯部及び第２点灯部のような、各光源部を個別に制御する点灯部を光源部毎に設けてもよい。また、当該３つ以上の光源部のうち、一部の複数の光源部は同一に点灯制御され、残りの光源部は個別に点灯制御されてもよい。
【００６４】
上記各実施形態では、プロジェクター１は、それぞれ液晶パネルを備えて構成される３つの光変調装置３４（３４Ｒ，３４Ｇ，３４Ｂ）を備えるとした。しかしながら、これに限らず、２つ以下、あるいは、４つ以上の光変調装置３４を備えたプロジェクターにも、本発明を適用可能である。
上記実施形態では、画像投射装置３は、上記構成を備えるとした。しかしながら、これに限らず、上記した画像投射装置３の構成は一例であり、当該画像投射装置３を構成する複数の光学部品及び当該複数の光学部品の配置は、適宜変更可能である。
【００６５】
上記各実施形態では、光変調装置３４に、光入射面と光出射面とが異なる透過型の液晶パネルを採用した。しかしながら、これに限らず、光変調装置３４に、光入射面と光出射面とが同一となる反射型の液晶パネルを採用してもよい。また、入射光束を変調して画像情報に応じた画像を形成可能な光変調装置であれば、マイクロミラーを用いたデバイス、例えば、ＤＭＤ（Digital Micromirror Device）等を利用したもの等、液晶以外の光変調装置を用いてもよい。このようなデバイスが用いられる場合、色分離装置３２によって分離された色光毎に、当該デバイスを用いてもよい。
【００６６】
上記各実施形態では、光源装置４、及び、当該光源装置４を備える照明装置３１をプロジェクターに適用した例を挙げた。しかしながら、これに限らず、これら光源装置４及び照明装置３１を、照明機器や自動車のヘッドライト等の他の電子機器に採用してもよい。
【符号の説明】
【００６７】
１…プロジェクター、３１…照明装置、３４（３４Ｂ，３４Ｇ，３４Ｒ）…光変調装置、３６…投射光学装置、４１…光源部、４１１…アレイ光源、４１２…第１光源部、４１３…第２光源部、４１４…点灯装置、４１５…第１点灯部、４１６…第２点灯部、４１７…制御部、４５１，４５１Ａ，４５１Ｂ，４５１Ｃ…波長変換素子、４５５…反射部、Ｓ１…固体光源、Ｓ２…固体光源。
【図１】
2018031864.tif 000003
【図２】
2018031864.tif 000004
【図３】
2018031864.tif 000005
【図４】
2018031864.tif 000006
【図５】
2018031864.tif 000007
【図６】
2018031864.tif 000008
【図７】
2018031864.tif 000009
【図８】
2018031864.tif 000010